(57)【特許請求の範囲】
【請求項１】
複数の縦枠部材および横枠部材を相互に連結することで枠状に構成された外枠と、前記外枠に開閉可能に支持され、遊技球が流下可能な遊技領域を形成した遊技盤が配設される中枠と、前記中枠に開閉可能に支持され、前記遊技盤を透視保護する前枠とを備えた遊技機において、
前記外枠における縦枠部材および横枠部材は、第１の金具および第２の金具で連結され、
前記第１の金具は、所定間隔離間して対向する一対の対向板部と、該一対の対向板部の内側に連設された連結板部とを備えて、前記縦枠部材に連結板部が固定されると共に、前記横枠部材に一方の対向板部が固定され、
前記第２の金具は、前記第１の金具における前記一対の対向板部および連結板部の何れかに重なり合うよう固定される重合板部と、該重合板部に連結されて一対の対向板部の間に臨む支持板部とを備える
ことを特徴とする遊技機。
【請求項２】
前記縦枠部材は、前後方向の中央位置に、前記外枠の開口内側に突出する膨出部が形成され、前記第１の金具における連結板部には、該膨出部に整合する溝部が形成される請求項１記載の遊技機。
【請求項３】
前記第１の金具および前記第２の金具において相互に重なり合う板部には、一方側に位置決め突部が設けられると共に、他方側に位置決め突部を挿脱可能な位置決め孔が設けられて、該位置決め突部を位置決め孔に挿入することにより、第１および第２の金具が位置決めされる請求項１または２記載の遊技機。
【発明の詳細な説明】
【技術分野】
【０００１】
本発明は、複数の枠部材から構成される外枠において、枠部材と枠部材とを金具を用いて強固に連結するよう構成された遊技機に関するものである。
【背景技術】
【０００２】
代表的な遊技機であるパチンコ機は、上下および左右の枠部材を相互に連結することで枠状に形成された外枠に対し、所要の遊技領域を画成した遊技盤を配設した中枠が着脱および開閉可能に組付けられると共に、中枠の前面側には、遊技盤を透視保護するガラス板を備えた前枠が開閉可能に枢支されている。ここで、前記外枠における各枠部材の連結構造としては、各端部を相互に当接した枠部材の内側および外側に、Ｌ字状の板金を各枠部材に跨って当接させて、該Ｌ字状の板金同士をビスで相互に連結固定する形態(例えば特許文献１参照)や、連結する２つの枠部材の内側にコ字状の板金を当接させて、各枠部材とコ字状の板金とを溶接することで相互に連結固定する形態(例えば特許文献２参照)が知られている。
【特許文献１】特開２００６−３４０９６６号公報
【特許文献２】特開平５−６８７３７号公報
【発明の開示】
【発明が解決しようとする課題】
【０００３】
ところで、近年では、前記中枠に配設される遊技盤の大型化や、該中枠に搭載される機構セット盤に組み付けられる制御装置等の構成部材の増加によって、遊技機全体の重量が増加する傾向にある。これに伴い中枠を支持する外枠自体の剛性の向上が望まれているものの、前述した特許文献１や２に開示された枠部材の連結構造では外枠の強度が未だ充分ではなく、外枠にガタツキや変形が生ずる虞があった。特に、外枠で中枠を開閉可能に支持する構造上、外枠が変形すると中枠の開閉に支障を来たすことから、外枠の剛性向上が強く求められていた。
【０００４】
そこで、本発明は、枠部材同士の連結を容易にすると共に、連結強度を向上し得る遊技機を提供することを目的とする。
【課題を解決するための手段】
【０００５】
前記課題を克服し、所期の目的を達成するため、本願の請求項１に係る遊技機は、
複数の縦枠部材(37,38)および横枠部材(35,40)を相互に連結することで枠状に構成された外枠(11)と、前記外枠(11)に開閉可能に支持され、遊技球が流下可能な遊技領域(13a)を形成した遊技盤(13)が配設される中枠(12)と、前記中枠(12)に開閉可能に支持され、前記遊技盤(13)を透視保護する前枠(14)とを備えた遊技機において、
前記外枠(11)における縦枠部材(37,38)および横枠部材(35,40)は、第１の金具(111,121)および第２の金具(115,125)で連結され、
前記第１の金具(111,121)は、所定間隔離間して対向する一対の対向板部(112,113,122,123)と、該一対の対向板部(112,113,122,123)の内側に連設された連結板部(114,124)とを備えて、前記縦枠部材(37,38)に連結板部(114,124)が固定されると共に、前記横枠部材(35,40)に一方の対向板部(112,113,122,123)が固定され、
前記第２の金具(115,125)は、前記第１の金具(111,121)における前記一対の対向板部(112,113,122,123)および連結板部(114,124)の何れかに重なり合うよう固定される重合板部(116,126)と、該重合板部(116,126)に連結されて一対の対向板部(112,113,122,123)の間に臨む支持板部(117,127)とを備えることを要旨とする。
【０００６】
すなわち、外枠の縦枠部材と横枠部材とを第１の金具および第２の金具で連結した状態では、該第２の金具の支持板部が第１の金具の一対の対向板部の間に臨んでいる。このため、横方向の力が作用して縦枠部材が変形しようとした場合には、前記第１の金具の対向板部が第２の金具の支持板部に接触し、該縦枠部材の変形が阻止される。これにより外枠全体の剛性の向上が図られる。また、第２の金具の重合板部を、前記第１の金具における一対の対向板部および連結板部の何れかに重なり合うよう固定したことで、両金具の一体性が向上し、補強効果の向上を図り得る。
【０００７】
請求項２に係る遊技機は、前記縦枠部材(37,38)は、前後方向の中央位置に、前記外枠(11)の開口内側に突出する膨出部(39)が形成され、前記第１の金具(111,121)における連結板部(114,124)には、該膨出部(39)に整合する溝部(114a)が形成されることを要旨とする。
【０００８】
すなわち、縦枠部材に形成した膨出部と、第１の金具の連結板部に形成した凹部とを整合させることで、該縦枠部材に対して第１の金具が前後方向に位置ずれするのを防止できる。
【０００９】
請求項３に係る遊技機は、前記第１の金具(111,121)および前記第２の金具(115,125)において相互に重なり合う板部(114,116,124,126)には、一方側に位置決め突部(114c,124c)が設けられると共に、他方側に位置決め突部(114c,124c)を挿脱可能な位置決め孔(116b,126b)が設けられて、該位置決め突部(114c,124c)を位置決め孔(116bc,126b)に挿入することにより、第１および第２の金具(111,115,121,125)が位置決めされることを要旨とする。
【００１０】
このように、位置決め突部を位置決め孔に挿入することにより、第１および第２の金具が位置決めされるから、両金具が誤った状態で組み付けられるのを防止し得ると共に、第１および第２の金具の位置ずれを防止できる。
【発明の効果】
【００１１】
すなわち、本発明に係る遊技機によれば、２つの金具により枠部材を連結でき、枠部材同士の連結を容易に行ない得ると共に、一方の金具が他方の金具を補強して連結強度を向上し得る。
【発明を実施するための最良の形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を正面側(遊技者側)から視た状態で指称するものとする。
【実施例】
【００１３】
実施例に係るパチンコ機１０は、図１または図２に示すように、矩形枠状に形成されて外郭をなす外枠(固定枠)１１の開口前面側に、遊技盤１３が配設される縦長方形の中枠(本体枠)１２が開閉および着脱可能に組み付けられている。この中枠１２の前面側には、遊技盤１３(図２参照)を透視保護するガラス板１４ａを備えた前枠１４が開閉可能に組み付けられると共に、該前枠１４の下方にパチンコ球を貯留する下球皿１６が開閉可能に組み付けられる。なお、前記前枠１４の下部位置には、パチンコ球を貯留する上球皿１５が一体的に組み付けられており、前枠１４の開閉に合わせて上球皿１５も開閉するよう構成されている。また、中枠１２における下球皿１６の右側には、回動操作可能なハンドル部材１７が配設されており、該ハンドル部材１７の回動操作により中枠１２に配設された打球発射装置１８が作動して、上球皿１５に貯留したパチンコ球が遊技盤１３の遊技領域１３ａに向けて打出されるようになっている。なお、前記前枠１４の上方位置には、左右両端部側に高音出力用のスピーカユニット１３０,１３０が夫々配設されている。
【００１４】
(中枠について)
前記中枠１２は、図２〜図４に示すように、上側縁をなす上枠体２０ａと、下側縁をなし、スピーカユニット１９や前記打球発射装置１８等を設置する設置部材として機能する合成樹脂製の下枠体２０ｂと、左側縁をなす左枠体２０ｃと、右側縁をなす右枠体２０ｄとから略矩形状に形成されて、全体が前記外枠１１の開口領域に整合する矩形枠状に大きさに構成される。ここで、前記上下および左右の枠体２０ａ〜２０ｄにより画成された前後に開口する開口領域が、前記遊技盤１３を着脱可能に設置する遊技盤収容枠部２１として機能する。
【００１５】
図１または図２に示すように、前記中枠１２における上枠体２０ａの前面における左上端部、および前記下枠体２０ｂの前面における左下端部には、ヒンジ金具としての上支持金具２２および下支持金具(本体枠側金具)２３が夫々配設されている。前記上支持金具２２には、上方に開口する第１軸孔２２ａが形成されると共に、前記下支持金具２３には、下方に開口する第２軸孔２３ａが形成されており、該上下の支持金具２２,２３の夫々が、該第１および第２軸孔２２ａ,２３ａを介して前記外枠１１に設けられたヒンジ金具としての第１の上連結金具１００および第１の下連結金具(固定枠側金具)１１０(何れも後述)に形成された上下の支軸１００ａ,１１０ａに軸支されることで、外枠１１に対して中枠１２が開閉可能に支持される。なお、前記右枠体２０ｄには、施錠装置２４が設けられており、施錠操作により中枠１２を外枠１１に対して閉成状態で保持され、解錠操作により係合部との係合が解除されて中枠１２を外枠１１に対して開放し得るようになっている。
【００１６】
また、図２に示すように、前記下枠体２０ｂにおける左右方向の略中央位置に、前記打球発射装置１８が配設され、該下枠体２０ｂの左下端部に、スピーカユニット１９が収容される第１箱状部２８(図３参照)が設けられている。なお、前記打球発射装置１８から発射されたパチンコ球は、下枠体２０ｂの上面に形成した発射口２６ａを介して前記遊技盤収容枠部２１に設置した遊技盤１３の遊技領域１３ａに向けて打出されるようになっている。
【００１７】
前記第１箱状部２８は、図３、図１２または図１３に示すように、前記下枠体２０ｂと一体形成されて前方に開放する収容部本体２９と、該収容部本体２９の開口前端側に配設されて収容部本体２９の前方開口を閉成する蓋体３２とから構成され、該収容部本体２９と蓋体３２との間に、スピーカユニット１９を収容する空間(以下、第１空間Ｓ１という)が画成されている。前記蓋体３２には、スピーカユニット１９を取り付ける取付部３４が前方へ膨出するよう形成され、該取付部３４に開設した第１出力孔３２ａを介して出力部１９ａが前面側に露出するようスピーカユニット１９が蓋体３２の裏側にネジ止めされる。すなわち、前記スピーカユニット１９を取り付けた蓋体３２を前記収容部本体２９にネジ止めすることで、スピーカユニット１９が前面(出力部１９ａ)を露出した状態で第１箱状部２８内に収容される。なお、前記中枠１２に配設されるスピーカユニット１９は、中低音出力用のスピーカユニットである。
【００１８】
また、図３、図４、図１２または図１３に示すように、前記収容部本体２９の一部には、第１空間Ｓ１内に開口する第１の接続口(第１開口部)３０が開設されており、該第１の接続口３０を介して第１空間Ｓ１の一部が機裏側に開放するようになっている。そして、前記第１の接続口３０には、中枠１２を外枠１１に対して閉成した状態で、前記下枠部材４０に上方へ突出するよう形成された第１ダクトＤ１が連通接続するよう構成されている。なお、前記中枠１２(下枠体２０ｂ)の下端部(下面)は略水平に形成されて、該中枠１２の下端部に沿って左右方向に延在する横長矩形状に前記第１の接続口３０が形成される。また、前記中枠１２(下枠体２０ｂ)の前面左下端部に配設された前記下支持金具２３の下端部が、該中枠１２(下枠体２０ｂ)の下端部(下面)から下方へ露出するようになっている。
【００１９】
(外枠について)
次に、前記中枠１２を開閉可能に支持する前記外枠１１の構成につき説明する。前記外枠１１は、図５または図６に示すように、上縁を構成する上枠部材(横枠部材)３５と、下縁を構成する下枠部材(横枠部材)４０と、左縁を構成する左枠部材(縦枠部材)３７と、右縁を構成する右枠部材(縦枠部材)３８とから基本的に構成される。そして、前記上枠部材３５および左枠部材３７が第１の上連結金具１００(後述)を介して連結固定されると共に、上枠部材３５および右枠部材３８が第２の上連結金具１０１(後述)を介して連結固定されるようになっている。また、前記下枠部材４０および左枠部材３７が第１の下連結金具１１０(後述)を介して連結固定されると共に、下枠部材４０および右枠部材３８が第２の下連結金具１２０(後述)を介して連結固定されて、各枠部材３５,３７,３８,４０を連結することで外枠１１が縦長の矩形枠体として構成される。
【００２０】
前記上枠部材３５は、図６に示すように、所要厚みの長尺な木製の板部材で構成され、該上枠部材３５の左右の上端部に、前記第１の上連結金具１００および第２の上連結金具１０１(具体的には、後述の第１外側固定板１０３)の厚みと略同等分だけ凹む段部３６が夫々形成されている。そして、前記各段部３６の複数箇所に、固定ネジ(図示せず)を挿通可能な通孔３６ａが上下に貫通するよう形成されている。前記左右の枠部材３７,３８は、基本的に左右対称な形状に形成されており、アルミ等の金属板を折返すことで、前後方向の略中央位置が外枠１１の開口内外に膨出する膨出部３９が形成されて、所要の剛性を備えるよう構成される。また、前記左右の枠部材３７,３８における上下の端部には、前記膨出部３９を挟む前後位置に、固定ネジの挿通を許容する通孔３７ａ,３８ａが左右に貫通するよう複数箇所に形成されている。
【００２１】
前記下枠部材４０は、図６〜図１１に示すように、前記上枠部材３５と略同一の長さ寸法に設定されると共に前記左右の枠部材３７,３８と略同一の前後の幅寸法に設定された木製の底板４１と、該底板４１の前端縁に配設される合成樹脂製の幕板４４とを備えている。前記底板４１の左右両端部には、図８または図９に示すように、前記第１の下連結金具１１０(具体的には、後述の下側対向板部１１３)および第２の下連結金具１２０(具体的には、後述の下側対向板部１２３)を固定する第１固定部４２,４２が形成されており、各第１固定部４２の複数箇所にネジ孔４２ａが形成されている。また、前記底板４１の前端縁には、左右に位置する第１固定部４２,４２の間に、前方および上下に開放する凹部４１ａが形成されており、該凹部４１ａに後述するボックスカバー８０が配置される。
【００２２】
前記幕板４４は、図５または図６に示すように、前記左枠部材３７の前端面から右枠部材３８の前端面まで延在する横長矩形状に形成されて後方へ開口する箱状に形成され、該幕板４４の裏側に配設されたボックスカバー８０との間に空間(以下、第２空間Ｓ２という)を画成するようになっている。また、前記幕板４４の裏側における左右両端部には、前記底板４１における前記左右の第１固定部４２,４２の前側に臨む位置に、前記第１の下連結金具１１０(具体的には、後述の支持板部１１７)および第２の下連結金具１２０(具体的には、後述の支持板部１２７)を固定する第２固定部４５,４５(図１１参照)が形成されている。ここで、前記各第２固定部４５には、２箇所のネジ孔(図示せず)が形成されると共に、後方に突出する位置決め突部４５ｂが突設されている。また、前記幕板４４の裏側には、前記第２空間Ｓ２が幕板４４の左右方向の略全長に亘って形成されるよう、該第２空間Ｓ２を区画して当該第２空間Ｓ２の上下および左右の壁面をなす区画壁４４ｂ(図９参照)が形成されている。
【００２３】
また、前記幕板４４の上面４９における左上端部には、図５または図７に示すように、前記第１の下連結金具１１０(具体的には、後述の上側対向板部１１２)を固定する設置部４６が前方へ湾曲状に突出するよう形成されている。この設置部４６の上面には、上方および後方へ開放する第１設置凹部４７が形成されており、中枠１２を閉成する際に中枠１２の下端部が乗り上げる第１の傾斜案内部材５０を設置するようになっている。また、前記第１設置凹部４７には、位置決め孔４７ａが２箇所に形成されると共にネジ孔４７ｂが１箇所に形成されている。前記幕板４４の上側後端部には、左右方向の略全長に亘って、上方および後方へ突出する庇状部４４ａが形成されている。但し、前記庇状部４４ａは、前記幕板４４の右端部から前記設置部４６に至るまでの範囲に形成され、該設置部４６の後方側には庇状部４４ａは形成されていない。また、前記幕板４４の上面４９における右端部には、上下に貫通する通孔４９ａが左右に離間する２箇所に形成されている。
【００２４】
前記第１の傾斜案内部材５０は、図７に示すように、前記第１設置凹部４７に整合する大きさに形成された平板部５１と、該平板部５１から上方に突出する突出部５２とを備え、該平板部５１を第１設置凹部４７に設置した際に、平板部５１の上面と設置部４６(幕板４４)の上面とが同一面に位置するよう構成されている。また、前記平板部５１には、前記第１設置凹部４７の位置決め孔４７ａの夫々と対応する位置に、各位置決め孔４７ａに挿脱可能に挿入される位置決め突部(図示せず)が下方へ向けて突設されると共に、該第１設置凹部４７のネジ孔４７ｂと対応する位置に、上下に貫通する通孔５４が形成されており、各位置決め孔４７ａに位置決め突部を挿入することで、第１設置凹部４７のネジ孔４７ｂと第１の傾斜案内部材５０の通孔５４とが整合するよう構成されている。そして、前記第１設置凹部４７に設置した第１の傾斜案内部材５０に、前記第１の下連結金具１１０(上側対向板部１１２)を当接させて(すなわち設置部４６と第１の下連結金具１１０との間に第１の傾斜案内部材５０挟んだ状態で)、第１の下連結金具１１０を設置部４６にネジ止めするようになっている
【００２５】
また、前記突出部５２の上面には、後方へ向けて上方傾斜する第１の傾斜面部５２ａが形成されており、中枠１２を閉成する過程で中枠１２の下端部(具体的には下支持金具２３)が第１の傾斜面部５２ａに接触し、中枠１２を更に閉成することで、中枠１２の下端部(下支持金具２３)が第１の傾斜面部５２ａに沿って乗り上げるよう構成されている。ここで、第１の傾斜面部５２ａは、前記第１の下連結金具１１０の下支軸１１０ａ側(左斜め前方)に下方傾斜するようになっており、閉成時に中枠１２の下端部(下支持金具２３)が第１の傾斜面部５２ａに接触した際に、当該中枠１２の接触部位が第１の傾斜面部５２ａに対して平行になるよう構成される。
【００２６】
また、図６または図７に示すように、前記幕板４４の上面４９には、前記設置部４６から離間する右端部側に、上方および前方へ開放する第２設置凹部４８が形成されており、該第２設置凹部４８に、中枠１２を閉成する際に中枠１２の下端部が乗り上げる第２の傾斜案内部材５６が着脱可能に配設される。この第２設置凹部４８の後端部には、前後に貫通する係合孔４８ａが左右方向に離間する位置に形成されると共に、第２設置凹部４８の前端部には、左右方向に延在する係合溝４８ｂが凹設されている。
【００２７】
図７に示すように、前記第２の傾斜案内部材５６は、後端面から後方へ突出し、前記第２設置凹部４８の係合孔４８ａに係脱可能に係合する係合フック５７と、前端部から下方に延出する延出部５８と、該延出部５８の下端部から後方へ突出し、第２設置凹部４８の係合溝４８ｂに係脱可能に係合する係止片５９とを備えている。そして、前記第２設置凹部４８の係合孔４８ａおよび係合溝４８ｂに対して、前記第２の傾斜案内部材５６の係合フック５７および係止片５９の夫々を前側から係合することで、該第２設置凹部４８に第２の傾斜案内部材５６が着脱可能に配設される。
【００２８】
また、前記第２の傾斜案内部材５６には、前端部から後方へ向けて上方傾斜し、前記中枠１２の閉成時に中枠１２の下端部(具体的には樹脂部分)が接触して乗り上げる第２の傾斜面部６０と、該第２傾斜面部６０の傾斜後端に連接して前後方向に水平に延在し、中枠１２を完全に閉成した際に、当該中枠１２の下端部(具体的には樹脂部分)を支持する支持面部６２とを備えている。すなわち、中枠１２を閉成する過程で中枠１２の下端部(樹脂部分)が第２の傾斜面部６０に接触し、中枠１２を更に閉成することで、中枠１２の下端部(樹脂部分)が第２の傾斜面部６０に沿って乗り上げて、最終的に支持面部６２で支持されるようになっている。また、前記第２の傾斜案内部材５６には、側端部から前記支持面部６２に向けて上方傾斜する側方傾斜面部６１,６１が形成されている。
【００２９】
更に、前記幕板４４の上面４９には、図７に示すように、前記第１設置凹部４７と第２設置凹部４８との間に、前後方向に延在する支持リブ６５(第３傾斜案内部)が左右に離間する２箇所に形成されている。この支持リブ６５は、幕板４４の前端部から後方へ向かうにつれて上方傾斜し、前記中枠１２の閉成時に中枠１２の下端部(具体的には樹脂部分)が接触して乗り上げる第３の傾斜面部６６と、該第３の傾斜面部６６の傾斜後端に連接し、前後方向に水平に延在する支持面部６７とを備え、外枠１１に対して中枠１２を閉成した際に、支持リブ６５の支持面部６７に中枠１２の下端部が当接するようになっている。すなわち、中枠１２を閉成する過程で中枠１２の下端部(樹脂部分)が第３の傾斜面部６６に接触し、中枠１２を更に閉成することで、中枠１２の下端部(樹脂部分)が第３の傾斜面部６６に沿って乗り上げて、最終的に支持面部６７で支持されるようになっている。すなわち、中枠１２の閉成時には、前記第２の傾斜案内部材５６および支持リブ６５の支持面部６２,６７で中枠１２の下端部を支持するよう構成されている。
【００３０】
ここで、前記第２の傾斜案内部材５６および支持リブ６５の高さ寸法は、前記庇状部４４ａの高さ寸法より低く設定され、外枠１１に対して中枠１２を閉成して前記支持面部６２,６７で中枠１２を支持した際に、庇状部４４ａの前端面に中枠１２の下端部の裏側が当接するようになっている。なお、前記第１の傾斜案内部材５０における第１の傾斜面部５２ａの高さ寸法は、前記第２の傾斜案内部材５６および支持リブ６５における第２の傾斜面部６０および第３の傾斜面部６６の高さ寸法より僅かに低く設定されて、前記支持面部６２,６７で中枠１２を支持した際に、第１の傾斜案内部材５０から中枠１２(下支持金具２３)が離間し、該第１の傾斜案内部材５０と中枠１２(下支持金具２３)との間に隙間が形成されるよう構成されている。
【００３１】
ここで、図８に示すように、前記第１の傾斜案内部材５０の第１の傾斜面部５２ａは、前記第２の傾斜案内部材５６の第２の傾斜面部６０および支持リブ６５の第３の傾斜面部６６より前側に位置するよう構成されている。そして、前記第１〜第３の傾斜面部５２ａ,６０,６６の夫々は、前記中枠１２の閉成時に、該中枠１２の下端部が最初に第１の傾斜面部５２ａに接触し、該第１の傾斜面部５２ａに乗り上げる過程で中枠１２の下端部が第３の傾斜面部６６に接触すると共に、第３の傾斜面部６６に乗り上げる過程で中枠１２の下端部が第２の傾斜面部６０に接触する位置関係となっている。
【００３２】
また、図６または図７に示すように、前記庇状部４４ａの左端部側には、前記第１ダクトＤ１の前面を構成するダクト前半体７０が上方へ突出するよう形成されている。前記ダクト前半体７０は、第１ダクトＤ１の前面を画成する平板部７０ａと、該平板部７０ａの上縁および左右側縁から後方へ突出する隔壁７０ｂとから構成され、該平板部７０ａに前後に開口する第２の接続口７１が横長矩形状に開設されている。また、前記平板部７０ａには、第２の接続口７１の開口縁に沿って前方へ突出する突出片７２が形成されている。この第２の接続口７１は、前記中枠１２を閉成した際に、前記第１箱状部２８(収容部本体２９)に開設した前記第１の接続口３０に整合する位置に形成されており、中枠１２を閉成することで、第１および第２の接続口３０,７１が連通するようになっている(図１２参照)。また、中枠１２を閉成した際には、前記突出片７２が前記第１の接続口３０の開口内側に臨み、相互に連通した第１および第２の接続口３０,７１の気密性を向上するようになっている。そして、前記隔壁７０ｂにおける平板部７０ａの上縁から突出した部位には、上方へ突出する突条部７３,７３が左右方向に離間する位置に形成されている。
【００３３】
更に、前記幕板４４の前面には、右端部側に前後に開口する第２出力孔(第２開口部)７６が縦長矩形状に開設されており、該第２出力孔７６を介して前記第２空間Ｓ２の一部が機前面側に開放するようになっている。また、前記幕板４４の裏側には、図９に示すように、前記第２出力孔７６に連通する第１連結筒部(第１接続ダクト)７５が第２空間Ｓ２内に突出するよう後方へ向けて形成されると共に、該第１連結筒部７５から左方向(第１ダクトＤ１側)に離間する位置に、後方へ突出する第１支持ボス７７が前後方向に延在するよう突設されている。
【００３４】
前記幕板４４の裏側に配設される前記ボックスカバー８０は、図６に示すように、前方へ開口する箱状に形成され、前記幕板４４の区画壁４４ｂの後端面に当接して前記第２空間Ｓ２を画成するボックス本体８１と、該幕板４４に形成された前記ダクト前半体７０の裏側に整合し、前記第１ダクトＤ１の後面を構成するダクト後半体８７とから構成されている。すなわち、前記幕板４４とボックスカバー８０とを組み付けることで、外枠１１の左右方向の全長に亘って延在する第２空間Ｓ２を画成する第２箱状部７８が形成される。ここで、実施例では、前記第２箱状部７８の容積が前記第１箱状部２８の容積以上に設定される。
【００３５】
前記ボックス本体８１は、前記幕板４４に対向する後面壁８２と、該後面壁８２に連接してボックス本体８１の上下および左右の壁面をなす外周壁８３とから前方へ開口する箱状に形成されると共に、該外周壁８３の開口前端に、前記幕板４４に形成された前記区画壁４４ｂの後端面に当接する当接片８３ａが外側に向けて突出するよう形成されている。また、前記ボックス本体８１(外周壁８３)の開口前端には、前方へ延出する延出片８４が形成されており、該延出片８４が前記区画壁４４ｂの第２空間Ｓ２側の面に当接して、第２空間Ｓ２の気密性を高めるようになっている(図１０または図１１参照)。なお、前記外周壁８３および延出片８４の夫々は、前記ダクト前半体７０(第１ダクトＤ１)と対応する位置で切り欠いた切欠部８５(図６参照)が形成されており、該切欠部８５を介して第１ダクトＤ１が第２空間Ｓ２に連通するよう構成される。
【００３６】
前記ダクト後半体８７は、図６または図７に示すように、前記切欠部８５の形成位置に形成されて、前記ボックス本体８１の後面壁８２から後方へ膨出するよう該後面壁８２に連接すると共に、前方へ開口する皿状に形成されている。そして、前記ボックスカバー８０を前記幕板４４に組み付けた際に、前記ダクト後半体８７の開口前端が前記ダクト前半体７０の隔壁７０ｂの開口後端に当接することで、中空の第１ダクトＤ１が形成される。すなわち、前記第１ダクトＤ１は、前記ダクト前半体７０に形成した第２の接続口７１を介して前方へ開口すると共に、前記切欠部８５を介して前記第２空間Ｓ２に連通する。ここで、実施例では、前記幕板４４の上面４９から突出する前記第１ダクトＤ１の突出寸法より、該第１ダクトＤ１の左右方向の幅寸法を大きくして、該第１ダクトＤ１の容積を確保するよう前記ダクト前半体７０およびダクト後半体８７の夫々が形成される。また、前記ダクト後半体８７には、前記ダクト前半体７０における隔壁７０ｂの外側を囲繞する囲繞片８８が形成されており、第１ダクトＤ１の気密性を高めるようになっている。この囲繞片８８には、前記ダクト前半体７０の隔壁７０ｂに形成した前記突条部７３と対応する位置に、上下に開口する差込み係合孔８８ａが左右に離間する２箇所に開設されており、該差込み係合孔８８ａに各突条部７３を挿入することで、ダクト前半体７０とダクト後半体８７の上端部が位置決めされるようになっている。
【００３７】
また、図６または図１１に示すように、前記第２空間Ｓ２内には、前記幕板４４に形成した前記第１連結筒部７５に連結されるダクト部材９０が設けられている。前記ダクト部材９０は、前記第１連結筒部７５が挿脱可能に内挿される第２連結筒部(第２接続ダクト)９１と、該第２連結筒部９１に連設し、後方および前記第１ダクトＤ１側の側方へ開放する箱状のダクト本体９２とから構成される。前記ダクト本体９２は、前記幕板４４に対向する平板部９２ａと、該平板部９２ａの上下の縁部および一方の側縁部(図９では左側の側縁部)から後方へ突出する立上がり壁９２ｂから構成されて、該立上がり壁９２ｂが形成された側端部側に前記第２連結筒部９１が開口するようになっている。ここで、前記第２連結筒部９１とダクト本体９２との接続位置には、該第２連結筒部９１に内挿した前記第１連結筒部７５の後端部が当接する位置決め段部９４が形成されており、該位置決め段部９４に第１連結筒部７５が当接することで、第１および第２連結筒部７５,９１が位置決めされるようになっている。
【００３８】
また、前記ダクト本体９２における平板部９２ａの前面側には、上下に離間する位置に前方へ突出する第２支持ボス９３が形成されると共に、該第２支持ボス９３の前端部に前記第１支持ボス７７を挿入可能な有底の挿入孔９３ａ(図６参照)が形成されており、前記第１連結筒部７５を第２連結筒部９１に内挿すると共に、第２支持ボス９３の挿入孔９３ａに第１支持ボス７７を挿入することで、ダクト本体９２が幕板４４の裏側に着脱可能に取り付けられる。そして、前記ダクト本体９２を取り付けた幕板４４に対して前記ボックスカバー８０を組み付けた際に、該ダクト本体９２の各立上がり壁９２ｂの後端部がボックスカバー８０のボックス本体８１における後面壁８２の前面に当接するようになっている。
【００３９】
すなわち、ダクト本体９２の各立上がり壁９２ｂの後端部がボックスカバー８０(ボックス本体８１)の前面に当接することで、図１１に示すように、一方の端部側(右端部側)で前記第２出力孔７６に連通すると共に他方の端部側(左端部側)で第２空間Ｓ２内に開口する第２ダクトＤ２が形成される。すなわち、前記中枠１２を外枠１１に対して閉成し、中枠１２における第１箱状部２８の第１の接続口３０と前記第１ダクトＤ１の第２の接続口７１とを連通接続することで、該第１箱状部２８(第１空間Ｓ１)、第１ダクトＤ１、第２箱状部７８(第２空間Ｓ２)および第２ダクトＤ２により、所謂ダブルバスレフ構造のエンクロージャが形成される。ここで、実施例では、第２ダクトＤ２の容積が第１ダクトＤ１の容積以上となるよう前記ダクト部材９０の大きさが設定されている。また、ダクト部材９０における側縁部に形成された立上がり壁９２ｂの内側に、円弧状に湾曲した曲面部９５が形成されており、ダクト本体９２とボックスカバー８０との間を通過した音を曲面部９５に沿って滑らかに第２出力孔７６へ誘導し得るよう構成されている。
【００４０】
(外枠の連結構造について)
次に、前記外枠１１の各枠部材３５,３７,３８,４０の連結構造に関して説明する。
【００４１】
(上枠部材と左右の枠部材の連結構造)
前記外枠１１の上枠部材３５および左枠部材３７を連結する第１の上連結金具１００と、該上枠部材３５および右枠部材３８を連結する第２の上連結金具１０１とは、基本構成が同一なので、第１の上連結金具１００について説明し、第２の上連結金具１０１については同じ符号を付して詳細な説明は省略する。前記第１の上連結金具１００は、図１４に示すように、前記上枠部材３５の左上端部に設けた段部３６から左枠部材３７の上端部の外面側に亘って延在する略Ｌ字状に形成された外側連結金具１０２と、上枠部材３５の左上端部の下面から左枠部材３７の上端部の内面側に亘って延在する略Ｌ字状に形成された内側連結金具１０６とから構成されている。前記外側連結金具１０２には、前記上枠部材３５の段部３６に当接する第１外側固定板１０３に、該段部３６に形成された各通孔３６ａの対応位置に上下に貫通する通孔１０３ａが形成されると共に、該左枠部材３７に当接する第２外側固定板１０４に、該左枠部材３７の上端部に形成された各通孔３７ａの対応位置に左右に貫通する通孔１０４ａが夫々形成されている。一方、前記内側連結金具１０６には、前記上枠部材３５に当接する第１内側固定板１０７に、該上枠部材３５に形成した通孔３６ａと対応する位置にネジ孔１０７ａが形成され、左枠部材３７の上端部に当接する第２内側固定板１０８に、該左枠部材３７に形成した通孔３７ａと対応する位置にネジ孔１０８ａが夫々形成されている。すなわち、前記第１外側固定板１０３の通孔１０３ａおよび上枠部材３５の通孔３６ａに挿通した固定ネジを、第１内側固定板１０７の対応するネジ孔１０７ａに螺挿すると共に、前記第２外側固定板１０４の通孔１０４ａおよび左枠部材３７の上端部の通孔３７ａに挿通した固定ネジを、第２内側固定板１０８の対応するネジ孔１０８ａに螺挿することで、前記外側連結金具１０２と内側連結金具１０６が固定され、上枠部材３５と左枠部材３７とが連結される。
【００４２】
ここで、前記内側連結金具１０６には、前後方向の略中央位置に外枠１１の開口内側に向けて凹んだ凹設部１０６ａが、前記第１内側固定板１０７から第２内側固定板１０８に亘る全長に設けられており、内側連結金具１０６の剛性を高めている。また、前記内側連結金具１０６の凹設部１０６ａは、前記左枠部材３７に形成した前記膨出部３９に整合するよう構成されており、該凹設部１０６ａと膨出部３９とを整合させることで、内側連結金具１０６の位置ずれを防止している。なお、前記上枠部材３５と左枠部材３７とを連結する外側連結金具１０２は、前記第１外側固定板１０３に上枠部材３５の前端より前方へ延出する支持片部１０５が設けられており、該第１外側固定板１０３の支持片部１０５に、前記中枠１２に設けた上支持金具２２の第１軸孔２２ａに軸支される上支軸１００ａが垂設されている。
【００４３】
(下枠部材と左枠部材の連結構造)
前記外枠１１の下枠部材４０および左枠部材３７を連結する第１の下連結金具１１０は、図１５に示すように、断面略コ字状に形成された第１の連結補強金具(第１の金具)１１１と、断面略Ｌ字状に形成された第２の連結補強金具(第２の金具)１１５とから構成される。前記第１の連結補強金具１１１は、上下に所定間隔離間して対向する一対の対向板部１１２,１１３と、該一対の対向板部１１２,１１３の左端縁に連設された連結板部１１４とから形成されており、該連結板部１１４を前記左枠部材３７の下端部に固定するよう構成される。ここで、前記連結板部１１４には、前記左枠部材３７に形成された前記膨出部３９を挿入可能な溝部１１４ａが上下方向の全長に亘って形成されると共に、該膨出部３９と溝部１１４ａとを整合させた状態で、左枠部材３７の下端部に形成した各通孔３７ａと対応する位置に、左右に貫通する通孔１１４ｂが形成されている。また、前記連結板部１１４には、前後に離間する２箇所に、右方へ突出する位置決め突部１１４ｃが突設されている(図１５には１つの位置決め突部１１４ｃのみ図示)。なお、以下の説明では、一対の対向板部において、上側に位置するほうを上側対向板部１１２と指称すると共に、下側に位置するほうを下側対向板部１１３と指称する。
【００４４】
前記上側対向板部１１２は、前記下枠部材４０の幕板４４に形成した前記設置部４６まで延在すると共に、該設置部４６の上面全体を被覆可能な形状に形成されており、該上側対向板部１１２の前端部近傍に、前記中枠１２に設けた下支持金具２３の第２軸孔２３ａに軸支される下支軸１１０ａが上方へ向けて突設されている。また、前記上側対向板部１１２には、前記設置部４６の第１設置凹部４７に配設される第１の傾斜案内部材５０の突出部５２と対応する位置に、該突出部５２を挿通可能な貫通孔１１２ｂが形成されると共に、該第１設置凹部４７のネジ孔４７ｂと上下に整列する位置に、上下に貫通する通孔１１２ａが形成されている。すなわち、前記設置部４６の第１設置凹部４７に配設した前記第１の傾斜案内部材５０の突出部５２を挿通すると共に、前記上側対向板部１１２の通孔１１２ａおよび第１の傾斜案内部材５０の通孔５４に挿通したネジを第１設置凹部４７のネジ孔４７ｂに螺挿することで、該第１の傾斜案内部材５０の平板部５１を挟んだ状態で上側対向板部１１２が設置部４６に連結される。
【００４５】
また、前記下側対向板部１１３には、前記下枠部材４０を構成する前記底板４１の左側に形成された第１固定部４２のネジ孔４２ａと整合する位置に、上下に貫通する通孔１１３ａが形成されており、該下側対向板部１１３の通孔１１３ａに挿通したネジを底板４１(第１固定部４２)のネジ孔４２ａに螺挿することで、下側対向板部１１３(第１の下連結金具１１０)と下枠部材４０(底板４１)とが連結される。
【００４６】
図１５に示すように、前記第２の連結補強金具１１５は、前記第１の連結補強金具１１１における前記連結板部１１４に重なり合う重合板部１１６と、該重合板部１１６の前端に連結されて該第１の連結補強金具１１１における上下の対向板部１１２,１１３の間に臨む支持板部１１７とから構成されている。前記重合板部１１６には、前記連結板部１１４の通孔１１４ｂと対応する位置にネジ孔１１６ａが形成されると共に、該連結板部１１４の位置決め突部１１４ｃと対応する位置に、該位置決め突部１１４ｃを挿入可能な位置決め孔１１６ｂが形成されている。そして、前記連結板部１１４の位置決め突部１１４ｃを重合板部１１６の位置決め孔１１６ｂに挿通したもとで、左枠部材３７の下端部に形成した通孔３７ａおよび前記連結板部１１４の通孔１１４ｂに挿通したネジを前記重合板部１１６のネジ孔１１６ａに螺挿することで、第１および第２の連結補強金具１１１,１１５が左枠部材３７に対して一体的に連結される。
【００４７】
また、前記支持板部１１７には、前記幕板４４の左側に位置する第２固定部４５に形成されたネジ孔と整列する位置に、前後に貫通する通孔１１７ａが形成されると共に、該第２固定部４５に形成された位置決め突部４５ｂと整列する位置に位置決め孔１１７ｂが形成されている。すなわち、前記幕板４４の左側に位置する第２固定部４５の位置決め突部４５ｂを支持板部１１７の位置決め孔１１７ｂに挿通したもとで、該支持板部１１７の通孔１１７ａに挿通したネジを第２固定部４５のネジ孔に螺挿することで、前記支持板部１１７が幕板４４(第２固定部４５)に連結される。すなわち、前記第１の下連結金具１１０は、前記第１の連結補強金具１１１が前記左枠部材３７の下端部と下枠部材４０の底板４１および幕板４４とを連結固定し、更に前記第２の連結補強金具１１５が左枠部材３７の下端部と下枠部材４０の幕板４４(第２固定部４５)とを連結固定する。
【００４８】
(下枠部材と右枠部材の連結)
前記外枠１１の下枠部材４０および右枠部材３８を連結する第２の下連結金具１２０は、図１６に示すように、断面略コ字状に形成された第３の連結補強金具(第１の金具)１２１と、断面略Ｌ字状に形成された第４の連結補強金具(第２の金具)１２５とから構成される。ここで、前記第３の連結補強金具１２１は、前述した第１の連結補強金具１１１と基本的な構成は同一であって、所定間隔上下に離間して対向する一対の対向板部１２２,１２３と、該一対の対向板部１２２,１２３の右端縁に連設された連結板部１２４とから形成されており、該連結板部１２４を前記右枠部材３８の下端部に固定するよう構成される。ここで、前記連結板部１２４には、前記右枠部材３８に形成された前記膨出部３９を挿入可能な溝部１２４ａが上下方向の全長に亘って形成されると共に、該膨出部３９と溝部１２４ａとを整合させた状態で、右枠部材３８の下端部に形成した各通孔３８ａと対応する位置に、左右に貫通する通孔１２４ｂが形成されている。また、前記連結板部１２４には、前後に離間する２箇所に、右方へ突出する位置決め突部１２４ｃが突設されている(図１６には１つの位置決め突部１２４ｃのみ図示)。なお、以下の説明では、一対の対向板部において、上側に位置するほうを上側対向板部１２２と指称すると共に、下側に位置するほうを下側対向板部１２３と指称する。
【００４９】
前記上側対向板部１２２は、前記下枠部材４０における幕板４４の上面４９の裏側に重なるよう延在しており、該幕板４４の上面４９に形成した通孔４９ａと整合する位置に、ネジ孔１２２ａが形成されている。すなわち、前記幕板４４の通孔４９ａに挿通したネジを上側対向板部１２２のネジ孔１２２ａに螺挿することで、該上側対向板部１２２が幕板４４に連結される。また、前記下側対向板部１２３には、前記下枠部材４０を構成する前記底板４１の右側に形成された第１固定部４２のネジ孔４２ａと整合する位置に、上下に貫通する通孔１２３ａが形成されており、該下側対向板部１２３の通孔１２３ａに挿通したネジを底板４１(第１固定部４２)のネジ孔４２ａに螺挿することで、下側対向板部１２３(第２の下連結金具１２０)と下枠部材４０(底板４１)とが連結される。
【００５０】
図１６に示すように、前記第４の連結補強金具１２５は、前記第２の連結補強金具１１５と左右対称に形成される。すなわち、前記第４の連結補強金具１２５は、前記第２の連結補強金具１２１における前記連結板部１２４に重なり合う重合板部１２６と、該重合板部１２６の前端に連結されて該第２の連結補強金具１２１における上下の対向板部１２２,１２３の間に臨む支持板部１２７とから構成されている。前記重合板部１２６には、前記連結板部１２４の通孔１２４ｂと対応する位置にネジ孔１２６ａが形成されると共に、該連結板部１２４の位置決め突部１２４ｃと対応する位置に、該位置決め突部１２４ｃを挿入可能な位置決め孔１２６ｂが形成されている。そして、前記連結板部１２４の位置決め突部１２４ｃを重合板部１２６の位置決め孔１２６ｂに挿通したもとで、右枠部材３８の下端部に形成した通孔３８ａおよび前記連結板部１２４の通孔１２４ｂに挿通したネジを前記重合板部１２６のネジ孔１２６ａに螺挿することで、第３および第４の連結補強金具１２１,１２５が右枠部材３８に対して一体的に連結される。
【００５１】
また、前記支持板部１２７には、前記幕板４４の右側に位置する第２固定部４５に形成されたネジ孔と整列する位置に、前後に貫通する通孔１２７ａが形成されると共に、該第２固定部４５に形成された位置決め突部４５ｂと整列する位置に位置決め孔１２７ｂが形成されている。すなわち、前記幕板４４の右側に位置する第２固定部４５の位置決め突部４５ｂを支持板部１２７の位置決め孔１２７ｂに挿通したもとで、該支持板部１２７の通孔１２７ａに挿通したネジを第２固定部４５のネジ孔に螺挿することで、前記支持板部１２７が幕板４４(第２固定部４５)に連結される。すなわち、前記第２の下連結金具１２０は、前記第３の連結補強金具１２１が前記右枠部材３８の下端部と下枠部材４０の底板４１および幕板４４とを連結固定し、更に前記第４の連結補強金具１２５が右枠部材３８の下端部と下枠部材４０の幕板４４(第２固定部４５)とを連結固定する。
【００５２】
〔実施例の作用〕
次に、前述のように構成された実施例に係るパチンコ機１０の作用につき説明する。
【００５３】
実施例に係るパチンコ機１０における外枠１１の上枠部材３５および左枠部材３７は、第１の上連結金具１００により連結固定され、上枠部材３５および右枠部材３８は、第２の上連結金具１０１により連結固定される。ここで、前記第１および第２の連結金具１００,１０１は、外側連結金具１０２および内側連結金具１０６の間に上枠部材３５および左右の枠部材３７,３８を挟んで両金具１０２,１０６を連結するよう構成してあるから、１つの金具で２つの枠部材を連結する構成に比べて剛性の向上が図られる。また、内側連結金具１０６には、上枠部材３５に当接する第１内側固定板１０７から対応の左右の枠部材３７,３８に当接する第２内側固定板１０８に亘って凹設部１０６ａが形成されているから、該内側連結金具１０６の剛性が格段に向上し、外枠１１における上枠部材３５および左枠部材３７の連結部位や上枠部材３５および右枠部材３８の連結部位が変形するのを効果的に防止し得る。
【００５４】
また、前記外枠１１の下枠部材４０および左枠部材３７は、第１の下連結金具１１０により連結固定される。この第１の下連結金具１１０は、断面Ｌ字状に形成された第２の連結補強金具１１５の支持板部１１７が断面コ字状に形成された第１の連結補強金具１１１における上下の対向板部１１２,１１３の間に臨むよう構成されている。このため、外枠１１に対して横方向の力が作用して左枠部材３７が開口内側に倒れ込むよう変形しようとした場合には、前記第１の連結補強金具１１１の上側対向板部１１２が第２の連結補強金具１１５の支持板部１１７に接触し、該左枠部材３７の変形が阻止される。また、前記第１の下連結金具１１０では、前記第１の連結補強金具１１１における前記上側対向板部１１２が前記下枠部材４０における幕板４４の設置部４６に連結されると共に、下側対向板部１１３が下枠部材４０における左側の第１固定部４２に連結され、更に連結板部１１４が左枠部材３７に連結されている。そして、前記第２の連結補強金具１１５は、重合板部１１６が前記第１の連結補強金具１１１の連結板部１１４に重なるよう左枠部材３７に連結されると共に、前記支持板部１１７が前記幕板４４における左側の第２固定部４５に連結される。従って、前記左枠部材３７が開口内側に倒れ込むよう変形する場合には、前記第１の連結補強金具１１１の上側対向板部１１２が右側に移動しようとするのに対して、該上側対向板部１１２が連結される幕板４４(設置部４６)は、前記第２の連結補強金具１１５にも連結されているため、該第２の連結補強金具１１５により幕板４４(設置部４６)の移動が規制される。すなわち、前記第１の連結補強金具１１１および第２の連結補強金具１１５の夫々を前記左枠部材３７および幕板４４の夫々に連結することで、該左枠部材３７の変形が規制され、外枠１１の剛性の向上が図られる。
【００５５】
同様に、前記外枠１１の下枠部材４０および右枠部材３８は、第３の下連結金具１２０により連結固定される。この第２の下連結金具１２０は、断面Ｌ字状に形成された第４の連結補強金具１２５の支持板部１２７が断面コ字状に形成された第３の連結補強金具１２１における上下の対向板部１２２,１２３の間に臨むよう構成される。このため、外枠１１に対して横方向の力が作用して右枠部材３８が開口内側に倒れ込むよう変形しようとした場合には、前記第３の連結補強金具１２１の上側対向板部１２２が第４の連結補強金具１２５の支持板部１２７に接触し、該右枠部材３８の変形が阻止される。また、前記第２の下連結金具１２０では、前記第３の連結補強金具１２１における前記上側対向板部１２２が前記下枠部材４０における幕板４４の右端部側に連結されると共に、下側対向板部１２３が下枠部材４０における右側の第１固定部４２に連結され、更に連結板部１２４が右枠部材３８に連結されている。そして、前記第４の連結補強金具１２５は、重合板部１２６が前記第３の連結補強金具１２１の連結板部１２４に重なるよう右枠部材３８に連結されると共に、前記支持板部１２７が前記幕板４４における右側の第２固定部４５に連結される。従って、前記右枠部材３８が開口内側に倒れ込むよう変形する場合には、前記第３の連結補強金具１２１の上側対向板部１２２が左側に移動しようとするのに対して、該上側対向板部１２２が連結される幕板４４は、前記第４の連結補強金具１２５にも連結されているため、該第４の連結補強金具１２５により幕板４４の移動が規制される。すなわち、前記第３の連結補強金具１２１および第４の連結補強金具１２５の夫々を前記右枠部材３８および幕板４４に連結することで、該右枠部材３８の変形が規制され、外枠１１の剛性の向上が図られる。
【００５６】
すなわち、前記下枠部材４０および左枠部材３７を第１の下連結金具１１０で連結固定すると共に、下枠部材４０および右枠部材３８を第２の下連結金具１２０で連結固定することで、下枠部材４０および左枠部材３７の連結部位や下枠部材４０および右枠部材３８の連結部位が変形するのが防止され、外枠１１全体の剛性の向上が図られる。
【００５７】
そして、前記第１の下連結金具１１０の上側対向板部１１２には、中枠１２の下端部(下支持金具２３)を軸支する下支軸１１０ａが形成されており、該中枠１２を開放した状態では、中枠１２だけでなく、該中枠１２に配設された遊技盤１３や前枠１４、上下の球皿１５,１６、その他の部材の重量が全て第１の下連結金具１１０の上側対向板部１１２に集中する。この場合も、中枠１２を支持する第１の連結補強金具１１１の上側対向板部１１２が第２の連結補強金具１１５の支持板部１１７で支持されるから、該上側対向板部１１２の変形等を招来することなく、中枠１２を支持することができる。また、第１の連結補強金具１１１の上側対向板部１１２が第２の連結補強金具１１５の支持板部１１７で支持されることで、該上側対向板部１１２が当接する前記下枠部材４０の幕板４４(設置部４６)に過大な負荷が掛かるのを防止でき、該幕板４４(設置部４６)が損傷するのを防止できる。
【００５８】
また、前記中枠１２を閉成した状態では、該中枠１２が幕板４４(第２の傾斜案内部材５６および支持リブ６５)に支持され、中枠１２に配設された遊技盤１３等を含む重量が幕板４４の上面４９に集中する。実施例では、前記第２の下連結金具１２０における第３の連結補強金具１２１の上側対向板部１２２が幕板４４の上面４９の裏側に当接するから、該幕板４４(第２の傾斜案内部材５６および支持リブ６５)に掛かる荷重を上側対向板部１２２で支持でき、該幕板４４の変形等を招来することなく確実に中枠１２を支持することができる。
【００５９】
また、第１の下連結金具１１０における第１の連結補強金具１１１の連結板部１１４と、第２の連結補強金具１１５における重合板部１１６とを重ね合わせた状態で前記左枠部材３７に一体的に連結するようにしたことにより、両補強金具１１１,１１５の一体性が向上し、補強効果の向上を期待できる。更に、前記第１の連結補強金具１１１における連結板部１１４に溝部１１４ａを形成して、前記左枠部材３７に形成した膨出部３９と整合させるようにしたことで、該左枠部材３７に対して第１の連結補強金具１１１が前後方向に位置ずれするのを防止でき、位置ずれによる補強効果の低下を防ぐことができる。また、第１の連結補強金具１１１と第２の連結補強金具１１５とを組み付けた際には、該第１の連結補強金具１１１の連結板部１１４に形成した位置決め突部１１４ｃが第２の連結補強金具１１５の重合板部１１６に形成した位置決め孔１１６ｂに挿入されるようにしたことにより、第１の連結補強金具１１１と第２の連結補強金具１１５とを位置決めすることができ、両補強金具１１１,１１５の位置ずれによる補強効果の低下を防止し得る。また、前記位置決め突部１１４ｃおよび位置決め孔１１６ｂにより、前記第１の連結補強金具１１１および第２の連結補強金具１１５が誤った状態で組み付けられるのを防止できる。
【００６０】
そして、第２の下連結金具１２０についても前述した第１の下連結金具１１０の関係が成立する。すなわち、前記第２の下連結金具１２０における第３の連結補強金具１２１の連結板部１２４と、第４の連結補強金具１２５における重合板部１２６とを重ね合わせた状態で前記右枠部材３８に一体的に連結するようにしたことにより、両補強金具１２１,１２５の一体性が向上し、補強効果の向上を期待できる。更に、前記第３の連結補強金具１２１における連結板部１２４に溝部１２４ａを形成して、前記右枠部材３８に形成した膨出部３９と整合させるようにしたことで、該右枠部材３８に対して第３の連結補強金具１２１が前後方向に位置ずれするのを防止でき、位置ずれによる補強効果の低下を防ぐことができる。また、第３の連結補強金具１２１と第４の連結補強金具１２５とを組み付けた際には、該第３の連結補強金具１２１の連結板部１２４に形成した位置決め突部１２４ｃが第４の連結補強金具１２５の重合板部１２６に形成した位置決め孔１２６ｂに挿入されるようにしたことにより、第３の連結補強金具１２１と第４の連結補強金具１２５とを位置決めすることができ、両補強金具１２１,１２５の位置ずれによる補強効果の低下を防止し得る。また、前記位置決め突部１２４ｃおよび位置決め孔１２６ｂにより、前記第３の連結補強金具１２１および第４の連結補強金具１２５が誤った状態で組み付けられるのを防止できる。
【００６１】
また、前記中枠１２を枢支する上支持金具２２における第１軸孔２２ａと第１の上連結金具１００における上支軸１００ａとの遊びや、下支持金具２３における第２軸孔２３ａと第１の下連結金具１１０における下支軸１１０ａとの遊び等に起因して、中枠１２の開放時に、中枠１２の重量により開放端側が垂れ下がる。そこで、実施例に係るパチンコ機１０では、前記外枠１１における下枠部材４０(幕板４４)の第１の下連結金具１１０側(左枠部材３７側)に、第１の傾斜案内部材５０を配設すると共に、該下枠部材４０(幕板４４)の右端部側(右枠部材３８側)に、第２の傾斜案内部材５６を配設し、更に該下枠部材４０(幕板４４)における第１の傾斜案内部材５０と第２の傾斜案内部材５６との間に支持リブ６５を設けて、中枠１２を閉成するに際し、該中枠１２の下端部を持ち上げるようにしたから、中枠１２の開放端側の垂れ下がりが矯正され、下枠部材４０(幕板４４)に中枠１２が接触するのを防止できる。
【００６２】
具体的には、中枠１２を閉成する過程において、中枠１２における下支持金具２３側の下端部が前記第１の傾斜案内部材５０の第１の傾斜面部５２ａに乗り上げて持ち上げられ、この状態で更に中枠１２を閉成させると、中枠１２における下支持金具２３側より右側の下端部が前記支持リブ６５の第３の傾斜面部６６に乗り上げて持ち上げられる。更に中枠１２の閉成を続けると、中枠１２の開放端側の下端部が前記第２の傾斜案内部材５６の第２の傾斜面部６０に乗り上げて持ち上げられる。すなわち、中枠１２を閉成する際に、中枠１２における下支持金具２３側の下端部から開放端側の下端部に亘る全体が持ち上げられることで中枠１２の傾きが矯正され、中枠１２が下枠部材４０(幕板４４)の前面に接触するのは防止される。
【００６３】
そして、図１７〜図２０に示すように、前記下枠部材４０における幕板４４の左右に離間する位置に前記第１の傾斜案内部材５０(第１の傾斜面部５２ａ)、第２の傾斜案内部材５６(第２の傾斜面部６０)および支持リブ６５(第３の傾斜面部６６)を設けたことにより、前記中枠１２を閉成する過程において、中枠１２の下端部が最初に第１の傾斜面部５２ａに接触して乗り上げ、該第１の傾斜面部５２ａに乗り上げる途中で中枠１２の下端部が第３の傾斜面部６６に接触して乗り上げると共に、第３の傾斜面部６６に乗り上げる途中で中枠１２の下端部が第２の傾斜面部６０に接触して乗り上げることになる。このように、中枠１２を閉成する過程で、中枠１２の下端部を第１〜第３の傾斜面部５２ａ,６０,６６で徐々に持ち上げることにより、中枠１２の閉成動作を円滑に行ない得ると共に、第１〜第３の傾斜面部５２ａ,６０,６６の夫々に掛かる荷重を分散でき、中枠１２の開閉に対する耐久性の向上を図り得る。また、中枠１２を完全に閉成した状態では、第２の傾斜案内部材５６および支持リブ６５に設けた支持面部６２,６７に中枠１２の下端部が当接するから、該中枠１２の荷重を分散して支持することができる。
【００６４】
ここで、前記第１の傾斜案内部材５０は、前記中枠１２を枢支する第１の下連結金具１１０に最も近接する位置に設けられており、閉成した中枠１２が前記第１の傾斜案内部材５０(第１の傾斜面部５２ａ)に接触した際に、該中枠１２と下枠部材４０(幕板４４)との交差角度が大きくなる。このため、前記第１の傾斜案内部材５０における第１の傾斜面部５２ａを前端部から後方へ向けて一様に上方傾斜させた場合には、中枠１２の閉成時に、第１の傾斜面部５２ａの左端部にのみ中枠１２(下支持金具２３)が接触し、当該第１の傾斜面部５２ａに傷や削れが生ずる原因ともなる。そこで、実施例では、閉成した中枠１２が前記第１の傾斜案内部材５０(第１の傾斜面部５２ａ)に接触した際に、該第１の傾斜面部５２ａと中枠１２における下支持金具２３の接触部位とが平行になるよう構成してあるから(図１８参照)、中枠１２の下支持金具２３を第１の傾斜面部５２ａの全体で支持でき、当該第１の傾斜面部５２ａへの傷や削れが生ずるのを防止しつつ、中枠１２を円滑に持ち上げることができる。
【００６５】
前記第１の傾斜案内部材５０は、前記下枠部材４０の幕板４４に形成した設置部４６の第１設置凹部４７に配置されて、該第１設置凹部４７に第１の傾斜案内部材５０を設置した状態で、前記第１の下連結金具１１０の上側対向板部１１２に形成した通孔１１２ａおよび第１の傾斜案内部材５０に形成した通孔５４に挿通したネジを、設置部４６(第１設置凹部４７)のネジ孔４７ａに螺挿して固定される。すなわち、第１の下連結金具１１０を下枠部材４０(幕板４４)に連結するのに併せて第１の傾斜案内部材５０を固定できるから、該第１の傾斜案内部材５０を容易に取り付けることができる。
【００６６】
そして、前記第１の傾斜案内部材５０を前記設置部４６に固定した際には、該第１の傾斜案内部材５０における第１の傾斜面部５２ａが前記第１の下連結金具１１０の上側対向板部１１２に形成した貫通孔１１２ｂに臨むから、中枠１２の閉成時に中枠１２の下端部を第１の傾斜面部５２ａに当接させることができる。また、第１の傾斜案内部材５０における第１の傾斜面部５２ａを前記上側対向板部１１２の貫通孔１１２ｂに臨ませることで、該第１の傾斜面部５２ａに中枠１２が接触した際に、当該第１の傾斜案内部材５０が設置部４６から外れることはない。
【００６７】
また、前記第２の傾斜案内部材５６は、該第２の傾斜案内部材５６に形成された係止片５９を下枠部材４０の幕板４４に形成した第２設置凹部４８の係合溝４８ｂに対して前方から差込むと共に、該第２設置凹部４８に形成した係合孔４８ａに対して第２の傾斜案内部材５６に形成した係合フック５７,５７を係合するだけで、当該第２設置凹部４８に固定される。一方で、第２の傾斜案内部材５６の係合フック５７と第２設置凹部４８の係合孔４８ａとの係合を解除すると共に、該第２の傾斜案内部材５６を前方へ移動して前記係止片５９と係合溝４８ｂとの係合を解除するだけで、当該第２の傾斜案内部材５６を第２設置凹部４８から取り外すことができる。すなわち、前記第２の傾斜案内部材５６を前記第２設置凹部４８に対して簡単に着脱できる。
【００６８】
中枠１２の開閉時に中枠１２を単独で支持することのある第１の傾斜案内部材５０や、中枠１２の垂れ下がりが最も大きくなる開放端側を支持する第２の傾斜案内部材５６には、当該中枠１２の開閉を繰り返すにつれて傷や削れ等の摩耗が生じ易い。実施例では、前述のように、前記第１の傾斜案内部材５０および第２の傾斜案内部材５６の夫々を、前記下枠部材４０の幕板４４とは別部材として形成し、該幕板４４の第１設置凹部４７および第２設置凹部４８に対して着脱交換し得るよう構成したから、傷や削れ等の摩耗が生じた第１の傾斜案内部材５０や第２の傾斜案内部材５６のみを交換でき、コストや廃棄物の低減を図り得る。
【００６９】
ところで、実施例に係るパチンコ機１０では、遊技者が前記ハンドル部材１７を操作してパチンコ球を遊技盤１３の遊技領域１３ａに打出して遊技が開始されると、所定の制御条件に基づいて前記中枠１２に設けられたスピーカユニット１９から中低音が出力され、前記前枠１４に設けられたスピーカユニット１３０から高音が出力される。このスピーカユニット１９は、前記中枠１２の左下部に設けられた第１箱状部２８の第１空間Ｓ１内に、該第１箱状部２８(蓋体３２)の第１出力孔３２ａを介して出力部１９ａが前面に露出する状態で収容されている。この第１箱状部２８は、前記収容部本体２９に開設した第１の接続口３０を介して第１空間Ｓ１の一部が中枠１２の裏側に開口し、該中枠１２を閉成した状態(すなわち、遊技が行なわれる状態)において、前記外枠１１の下枠部材４０に形成された第１ダクトＤ１の第２接続口７１に連通接続する。また、前記第１ダクトＤ１は、前記下枠部材４０に形成された第２箱状部７８の第２空間Ｓ２に連通すると共に、第２空間Ｓ２は、当該第２空間Ｓ２内に設けた第２ダクトＤ２を介して、パチンコ機１０の前面側に連通(開放)している。
【００７０】
すなわち、前記スピーカユニット１９における出力部１９ａの前面から出力された効果音は、前記第１箱状部２８の第１出力孔３２ａを介して直接遊技者側に出力されるのに対し、スピーカユニット１９における出力部１９ａの背面から出力された効果音は、前記第１箱状部２８の第１空間Ｓ１から第１ダクトＤ１、第２空間Ｓ２および第２ダクトＤ２の夫々を通って遊技者側に出力される。すなわち、実施例に係るパチンコ機１０では、前記スピーカユニット１９における出力部１９ａの背面から出力された効果音の経路が、所謂ダブルバスレフ構造に形成される。従って、前記スピーカユニット１９における出力部１９ａの背面から出力された効果音は、第１空間Ｓ１から第１ダクトＤ１を通って第２空間Ｓ２に至る過程で低音域が増強されると共に、該第２空間Ｓ２から第２ダクトＤ２を通ってパチンコ機１０の前面側に出力される過程で低音域がより一層増強されるから、音の拡がりを高め、パチンコ機１０の音響効果の向上を図り得る。
【００７１】
ここで、前記第１箱状部２８は、前記中枠１２の左下部に設けられるため、該第１箱状部２８内の第１空間Ｓ１の容積は比較的小さなものとなる。一方で、前記第２箱状部７８は、パチンコ機１０として機能するために必須の構成部材(制御装置や球処理機構、その他の遊技の実行に必要とされる構成)が設けられていない下枠部材４０に設けるようにしたから、第２箱状部７８内の第２空間Ｓ２の容積拡大を図り得る。すなわち、外枠１１における中枠１２より下方位置に第２箱状部７８を設けることで、該第２箱状部７８内に画成される第２空間Ｓ２を、中枠１２に設けられた第１箱状部２８に画成される第１空間Ｓ１以上の容積にできる。
【００７２】
また、前記第１箱状部２８の形成位置に対応して、前記下枠部材４０(幕板４４)の左端部側(第１の下連結金具１１０側)に第１ダクトＤ１を形成すると共に、第１箱状部２８を中枠１２の下端部に設けることで、外枠１１における下枠部材４０における幕板４４の上面４９からの第１ダクトＤ１の突出寸法を必要最小限とできる。このように、前記幕板４４の上面４９から前記第１ダクトＤ１が突出する寸法を小さくすることで、中枠１２の開閉時等に各種配線が第１ダクトＤ１に引っかかるのを抑制でき、該中枠１２の開閉操作を阻害するのを防止できる。なお、前記幕板４４の上面４９からの第１ダクトＤ１の突出寸法を小さくしたとしても、該第１ダクトＤ１の横幅寸法を大きくするようにしたことで、第１ダクトを通過する低音の増幅効果が損なわれることはない。また、前記第２箱状部７８を構成する幕板４４には、前記第１ダクトＤ１から離間する右端部側(第２の下連結金具１２０側)に第２出力孔７６を開設したから、該第２出力孔７６から第１ダクトＤ１に向けて延在する前記第２ダクトＤ２の長さを大きくできる。これにより、前記第２ダクトＤ２の容積を第１ダクトＤ１の容積以上に容易に形成することができる。そして、前記第２箱状部７８の第２空間Ｓ２の容積を前記第１箱状部２８の第１空間Ｓ１の容積以上に設定すると共に、前記第２ダクトＤ２の容積を第１ダクトＤ１の容積以上に設定することで、スピーカユニット１９における出力部１９ａの背面側から出力される効果音(中低音)の低音域を、第１箱状部２８(第１空間Ｓ１)、第１ダクトＤ１、第２箱状部７８(第２空間Ｓ２)および第２ダクトＤ２により構成されたダブルバスレフ構造のエンクロージャを利用して効果的に増幅することができ、より豊かな低音を出力できる。
【００７３】
また、前記第１ダクトＤ１および第２空間Ｓ２は、前記第２箱状部７８を構成する前記幕板４４とボックスカバー８０とを組み付けるだけで形成されるから、該第１ダクトＤ１や第２空間Ｓ２を容易に形成することができる。また、前記ボックスカバー８０に形成された延出片８４や囲繞片８８により、前記第１ダクトＤ１および第２空間Ｓ２の気密性を高めるよう構成してあるから、第１ダクトＤ１や第２空間Ｓ２での音漏れを抑制でき、低音域の増強効果が低下するのを防止し得る。更に、前記第１ダクトＤ１(ダクト前半体７０)には、前記第１箱状部２８の第１の接続口３０に連通する第２の接続口７１の開口縁に沿って突出片７２が形成されて、中枠１２の閉成時に該突出片７２が第１の接続口３０の開口内側に臨むよう構成されているから、第１箱状部２８の第１空間Ｓ１と第１ダクトＤ１との間での音漏れも抑制され、低音域の増強効果が低下するのをより効果的に防止し得る。
【００７４】
また、前記第２ダクトＤ２は、前記幕板４４に形成した第２出力孔７６に連通する第１連結筒部７５を、前記ダクト部材９０の第２連結筒部９１に内挿し、前記ボックスカバー８０と幕板４４とを組み付けることで形成される。すなわち、後方および一側方に開放する簡単な形状のダクト部材９０により、幕板４４に沿って左右方向に延在する第２ダクトＤ２を形成し得るから、製造コストの増大を防止し得る。また、第２箱状部７８を構成するボックスカバー８０で第２ダクトＤ２の後壁を代用することで、第２箱状部７８の薄型化が図られると共に、ダクト部材９０の後方開口を塞ぐ蓋部材が不要となり、部品点数の低減を図り得る。
【００７５】
また、前記ダクト部材９０は、前記第２連結筒部９１とダクト本体９２との連設位置に形成した位置決め段部９４に、該第２連結筒部９１に内挿した第１連結筒部７５が当接すると共に、該ダクト本体９２に形成した第２支持ボス９３の挿入孔９３ａに幕板４４の第１支持ボス７７を挿入することで、ダクト部材９０の前方および上下左右方向への移動が規制される。そしてこの状態で、前記ダクト本体９２における立上がり壁９２ｂの後端縁に前記ボックスカバー８０が当接することで、ダクト部材９０の後方移動が規制される。すなわち、ネジ等を用いることなくダクト部材９０を第２箱状部７８に配設することができ、該ダクト部材９０の取付作業を簡単に行なうことができる。
【００７６】
〔変更例〕
なお、本発明に係る遊技機としては、実施例のものに限られるものではなく、種々の変更が可能である。
実施例では、第１の傾斜案内部材および第２の傾斜案内部材を、前記下枠部材(幕板)とは別体として形成するようにしたが、後方へ向かうにつれて上方傾斜し、中枠の閉成時に中枠の下端部が乗り上げ可能な第１の傾斜案内部および第２の傾斜案内部を、該下枠部材(幕板)に一体的に形成するようにしてもよい。
【００７７】
実施例では、第１の傾斜案内部の傾斜面部(第１の傾斜面部)を、中枠の閉成時に中枠の下端部が接触した際に、該中枠の接触部位と平行になるよう形成したが、これに限られるものではなく、該第１の傾斜案内部の傾斜面部を後方へ向かうにつれて一様に上方傾斜するようにしてもよい。反対に、第２の傾斜案内部の傾斜面部(第２の傾斜面部)や、第３傾斜案内部の傾斜面部(第３の傾斜面部)を、中枠の閉成時に中枠の下端部が接触した際に、該中枠の接触部位と平行になるよう形成することも可能である。
【００７８】
実施例では、下枠部材(幕板)に第１〜第３の傾斜案内部を設けるようにしたが、少なくとも第１の傾斜案内部および第２の傾斜案内部を設けるようにすればよい。また、第１〜第３の傾斜案内部の大きさは、実施例にものに限られるものではない。例えば、第２の傾斜案内部を、下枠部材(幕板)の上面の全長に亘って形成することも可能である。
【００７９】
実施例では、前記第２の傾斜案内部および第３の傾斜案内部に、中枠の下端部を支持する支持面部を備えるようにしたが、下枠部材(幕板)に中枠の下端部を支持する支持部を形成し、第２の傾斜案内部および第３の傾斜案内部に形成された傾斜面部に乗り上げた中枠を、下枠部材(幕板)の支持部で支持させるようにすることもできる。
【００８０】
実施例では、第１の下連結金具および第２の下連結金具の夫々において、断面Ｌ字状に形成した第２の金具(すなわち第２の連結補強金具および第４の連結補強金具)の重合板部を、断面コ字状に形成した第１の金具(すなわち第１の連結補強金具および第３の連結補強金具)の連結板部に重なり合うよう構成したが、これに限らず、重合板部が第１の金具の上下の対向板部に重なり合うようにしてもよい。
【００８１】
実施例では、前記第２の金具における支持板部を下枠部材(幕板)に連結固定するよう構成したが、支持板部と下枠部材とを連結固定しない形態であってもよい。また、実施例では、第１の金具の連結板部に溝部を形成するようにしたが、該連結板部を平板状に形成してもよい。
【００８２】
実施例では、中枠に形成した収容部本体と蓋体とにより第１空間を画成する第１箱状部を形成するようにしたが、該中枠とは別に第１箱状部を形成して中枠に配設するようにしてもよい。
【００８３】
実施例では、第１箱状部に開設される第１開口部を、中枠におけるヒンジ金具側に位置させ、第２箱状部に開設される第２開口部を、中枠の開放端側に位置させるようにしたが、これに限られるものではなく、該第１開口部および第２開口部が夫々反対側に位置する構成であってもよい。
【００８４】
実施例では、第１ダクトを第２箱状部と一体的に形成するようにしたが、これに限らず、第１ダクトと第２箱状部とを別に形成することもできる。また、第１ダクトの形状・構成は、前記外枠に対して中枠を閉成した状態で、第１箱状部の第１開口部および第２箱状部の第２空間に連通するよう構成すればよい。
【００８５】
実施例では、下枠部材(幕板)に開設した第２の接続口の開口縁に沿って形成した突出片を、中枠を閉成した際に第１箱状部に開設した第１の接続口の開口内側に臨ませるよう構成したが、該第２の接続口の開口縁に沿ってパッキンを更に配設するようにしてもよい。すなわち、中枠を閉成した際に、第１箱状部に開設した第１の接続口の開口内側に突出片を臨ませると共に、該第１箱状部の後面にパッキンを当接させることで、相互に連通した第１および第２の接続口の気密性をより一層向上することができる。なお、前記パッキンは、第１箱状部に開設された第１の接続口に沿って配設することも可能である。
【００８６】
また、第２箱状部の第２空間に設けられる第２ダクトは、実施例の構成に限らず、一方の端部側で第２箱状部の第２開口部に連通すると共に他方の端部側で第２空間内に開口するよう形成すればよい。例えば、前記下枠部材の幕板には、前後に貫通する第２出力孔を開設し、前方および第１ダクト側の側方へ開放する箱状の第２のダクト部材を、該第２のダクトの閉鎖端部側に前記第２出力孔が臨ませて、当該第２のダクト部材の前方開放端に幕板の裏面を当接させることで、第２ダクトを形成することもできる。なお、前記ボックスカバーには、前記第２のダクト部材の後方および上下左右への移動を規制する規制片が形成されて、該ボックスカバーを幕板に組み付けた際に、該規制片が第２のダクト部材に当接して位置決めするよう構成される。この場合でも、簡単な形状の第２のダクト部材により第２ダクトを形成し得るから、製造コストの増大を防止し得る。また、第２箱状部を構成する幕板で第２のダクト部材の前面壁を代用することで、第２箱状部の薄型化を図り得ると共に、第２のダクト部材の前方開口を塞ぐ蓋部材が不要となり、部品点数の低減を図り得る利点がある。
【００８７】
実施例では、前記ダクト部材における立上がり壁の後端縁がボックスカバーに直接当接するようにしたが、該ダクト部材とボックスカバーとの間にパッキンを配設して、当該ダクト部材における立上がり壁の後端縁がパッキンを介して間接的にボックスカバーに当接するよう構成することもできる。同様に、前記第２のダクト部材における立上がり壁の前端縁が下枠部材(幕板)に直接当接する構成に限らず、該第２のダクト部材と下枠部材(幕板)との間にパッキンを配設して、当該第２のダクト部材における立上がり壁の前端縁がパッキンを介して間接的に下枠部材(幕板)に当接するよう構成してもよい。このように、パッキンを介在させることで、ダクト部材とボックスカバーとの間や、第２のダクト部材と下枠部材(幕板)との間からの音漏れを防止して、低音の増幅効果が低下するのを防ぐことができる。
【００８８】
実施例では、本発明を実施する遊技機としてパチンコ機を例示して説明したが、これに限定されるものではなく、外郭をなす外枠に開閉自在に組み付けた中枠にスピーカユニットを配設するよう構成した遊技機であれば、アレンジボール機等の従来公知の各種遊技機に対しても好適に採用し得る。
【図面の簡単な説明】
【００８９】
【図１】本発明の実施例に係るパチンコ機を示す正面図である。
【図２】実施例に係るパチンコ機を示す分解斜視図である。
【図３】実施例に係る中枠を示す要部拡大斜視図である。
【図４】実施例に係る中枠と外枠との関係を、中枠を開放して裏側から視た状態を示す斜視図である。
【図５】実施例に係る外枠を示す斜視図である。
【図６】実施例に係る外枠の分解斜視図である。
【図７】実施例に係る外枠の下枠部材を示す分解斜視図である。
【図８】実施例に係る外枠の横断平面図である。
【図９】実施例に係る下枠部材からボックスカバーを取り外して背面側から視た状態で示す斜視図である。
【図１０】実施例に係る下枠部材の縦断側面図であって、第１ダクトの形成位置で縦断した状態を示す。
【図１１】実施例に係る外枠の横断平面図であって、第２ダクトの形成位置で横断した状態を示す。
【図１２】実施例に係る外枠に対して閉成した中枠の第１箱状部を横断して示す平面図である。
【図１３】実施例に係る外枠に対して開放した第１箱状部を横断して示す平面図である。
【図１４】実施例に係る第１の上連結金具による連結構造を示し、（a）は第１の上連結金具で上枠部材および左枠部材を連結した状態を示す斜視図であり、(b)は第１の上連結金具の分解斜視図である。
【図１５】実施例に係る第１の下連結金具による連結構造を示し、（a）は第１の下連結金具で下枠部材および左枠部材を連結した状態を示す斜視図であり、(b)は第１の下連結金具の分解斜視図である。
【図１６】実施例に係る第２の下連結金具による連結構造を示し、（a）は第２の下連結金具で下枠部材および右枠部材を連結した状態を示す斜視図であり、(b)は第２の下連結金具の分解斜視図である。
【図１７】実施例に係る中枠の開閉位置と、外枠に設けた傾斜案内部材との関係を示す説明図であって、中枠を完全に開放した状態を示す。
【図１８】実施例に係る中枠の開閉位置と、外枠に設けた傾斜案内部材との関係を示す説明図であって、中枠の下端部が第１の傾斜案内部材における第１の傾斜面部に接触した状態を示す。
【図１９】実施例に係る中枠の開閉位置と、外枠に設けた傾斜案内部材との関係を示す説明図であって、中枠の下端部が支持リブにおける第３の傾斜面部に接触した状態を示す。
【図２０】実施例に係る中枠の開閉位置と、外枠に設けた傾斜案内部材との関係を示す説明図であって、中枠の下端部が第２の傾斜案内部材における第２の傾斜面部に接触した状態を示す。
【符号の説明】
【００９０】
１１  外枠
１２  中枠
１３  遊技盤
１３ａ  遊技領域
１４  前枠
３５  上枠部材(横枠部材)
３７  左枠部材(縦枠部材)
３８  右枠部材(縦枠部材)
３９  膨出部
４０  下枠部材(横枠部材)
１１１  第１の連結補強金具(第１の金具)
１１２  上側対向板部(対向板部)
１１３  下側対向板部(対向板部)
１１４  連結板部
１１４ａ  溝部
１１４ｃ  位置決め突部
１１５  第２の連結補強金具(第２の金具)
１１６  重合板部
１１６ｂ  位置決め孔
１１７  支持板部
１２１  第３の連結補強金具(第１の金具)
１２２  上側対向板部(対向板部)
１２３  下側対向板部(対向板部)
１２４  連結板部
１２４ａ  溝部
１２４ｃ  位置決め突部
１２５  第４の連結補強金具(第２の金具)
１２６  重合板部
１２６ｂ  位置決め孔
１２７  支持板部
【図１】
0005079464.tif 000002
【図２】
0005079464.tif 000003
【図３】
0005079464.tif 000004
【図４】
0005079464.tif 000005
【図５】
0005079464.tif 000006
【図６】
0005079464.tif 000007
【図７】
0005079464.tif 000008
【図８】
0005079464.tif 000009
【図９】
0005079464.tif 000010
【図１０】
0005079464.tif 000011
【図１１】
0005079464.tif 000012
【図１２】
0005079464.tif 000013
【図１３】
0005079464.tif 000014
【図１４】
0005079464.tif 000015
【図１５】
0005079464.tif 000016
【図１６】
0005079464.tif 000017
【図１７】
0005079464.tif 000018
【図１８】
0005079464.tif 000019
【図１９】
0005079464.tif 000020
【図２０】
0005079464.tif 000021